(57)【特許請求の範囲】
【請求項１】
被検眼を照明する照明光源を有する照明光学系と、被検眼を異なる撮影倍率で撮影する撮影光学系と、前記撮影倍率を変更する倍率変更手段とを有する本体部とを有し、前記撮影光学系で撮影した被検眼像を結像し電子画像を生成する撮像素子と、該撮像素子の大きさ情報を前記本体部に通知する撮像素子情報通知手段とを有する撮像ユニットとを有し、前記本体部は、前記撮像素子の大きさが異なる前記複数の撮像ユニットを着脱可能とすると共に、前記撮像ユニットに備えた撮像素子情報通知手段からの情報を入力する入力手段を有し、前記倍率変更手段は、前記入力手段からの情報を基に前記撮像素子の大きさに応じて前記撮影倍率を変更することを特徴とする眼科撮影装置。
【請求項２】
前記本体部は前記照明光源の光量を変更する光量変更手段を有し、前記倍率変更手段で設定した撮影倍率に応じて、前記光量変更手段は前記照明光源の光量を変更することを特徴とする請求項１に記載の眼科撮影装置。
【請求項３】
前記撮像ユニットは内部電源情報を通知する電源情報通知手段を有し、前記本体部は前記撮像ユニットに電源を供給する電源供給手段を有し、前記入力手段は前記撮像素子情報通知手段からの情報と共に前記電源情報通知手段からの情報を入力し、前記電源供給手段は前記入力手段からの情報を基に前記撮像ユニットに供給する電源の電圧又は電流を変更することを特徴とする請求項１に記載の眼科撮影装置。
【請求項４】
前記撮像ユニットの前記本体部への着脱を検知する着脱検知手段を備えたことを特徴とする請求項１に記載の眼科撮影装置。
【発明の詳細な説明】
【技術分野】
【０００１】
本発明は、眼科医院等において被検眼を撮影する眼科撮影装置に関するものである。
【背景技術】
【０００２】
従来から、ＣＣＤに代表される撮像素子を用いて被検眼像を撮像して映像信号に変換し、被検眼の観察、撮影を行う眼底撮影装置が知られている。撮像素子を有する撮像ユニットは、眼底カメラ本体部に着脱可能であり、この眼底カメラ本体部において、撮像素子の有効結像範囲に対応した固定の撮影倍率が設定されている。
【０００３】
また、特許文献１においては、眼底カメラ本体部に対して撮像素子を有する撮像ユニットが着脱可能で、この撮像ユニット内には変倍手段を有しており、変倍手段の倍率に応じて撮影範囲を表示する眼底撮影装置が提案されている。
【０００４】
【特許文献１】特開平７−２８４４７７号公報
【発明の開示】
【発明が解決しようとする課題】
【０００５】
しかしながら、上述の従来例に示すような眼科撮影装置においては、異なる大きさの撮像素子を有する複数の撮像ユニットを用いて、眼底撮影を行うことは想定されていない。
【０００６】
例えば、このような眼科撮影装置において、眼底カメラ本体は撮像素子を内蔵した撮像ユニットを着脱して眼底撮影を行う。この場合に、図６に示すように撮像面をＡｘ・Ａｙの大きさとする撮像素子Ａと、撮像素子Ａよりも小さいＢｘ・Ｂｙの大きさを有する撮像素子Ｂと、撮像素子Ａよりも大きいＣｘ・Ｘｙの大きさを有する撮像素子Ｃが選択可能であるとする。
【０００７】
図７（ａ）は撮像素子Ａを用いて撮影した眼底像を示しており、この撮像ユニットでは眼底像が撮像素子Ａの有効結像範囲に最適に結像するように撮影倍率が決められている。
【０００８】
また、図７（ｂ）に示すように、撮像素子Ａよりも小さい撮像素子Ｂを内蔵した撮像ユニットを装着して眼底撮影を行う場合には、撮影した眼底像の周辺部分の情報が欠落した状態で結像される。更に、撮像素子Ｃを内蔵した撮像ユニットを装着して眼底撮影を行う場合も、撮像素子Ｃは撮像素子Ａよりも大きいため、図７（ｃ）に示すように撮像素子Ｃの周辺部分は真っ黒となり、この範囲は殆ど使用されない眼底画像となる。
【０００９】
このように、眼底カメラ本体部に大きさが異なる撮像素子を有する撮像ユニットを用いて眼底撮影を行う場合には、撮像素子の一部分しか使用しない、或いは撮影画角が狭い眼底画像しか得られないという問題点がある。
【００１０】
また、特許文献１に示す変倍手段を有する眼科撮影装置においては、単一の大きさの撮像素子に対して変倍を行っている。このような眼科撮影装置の本体部に、例えばＡｘ・Ａｙの大きさを有する撮像素子Ａを内蔵した撮像ユニットを装着して、眼底撮影を行った場合には、図８（ａ）に示すように眼底像が撮像素子に最適に結像するように撮影倍率が決められている。しかし、変倍手段を介して倍率を小さくすると、図８（ｂ）に示すような眼底像となり、また倍率を大きくすると、図８（ｃ）に示すような眼底像となる。
【００１１】
何れの場合も、撮像素子の一部分しか使用しない、或いは撮影画角が狭い眼底画像しか得られないという同様の問題点がある。
【００１２】
本発明の目的は、上述の問題点を解消し、大きさが異なる撮影素子を内蔵した複数の撮像ユニットを選択的に用いても、撮像素子の撮像有効範囲を最大限に利用して撮影可能な眼科撮影装置を提供することにある。
【課題を解決するための手段】
【００１３】
上記目的を達成するための本発明に係る眼科撮影装置の技術的特徴は、被検眼を照明する照明光源を有する照明光学系と、被検眼を異なる撮影倍率で撮影する撮影光学系と、前記撮影倍率を変更する倍率変更手段とを有する本体部とを有し、前記撮影光学系で撮影した被検眼像を結像し電子画像を生成する撮像素子と、該撮像素子の大きさ情報を前記本体部に通知する撮像素子情報通知手段とを有する撮像ユニットとを有し、前記本体部は、前記撮像素子の大きさが異なる前記複数の撮像ユニットを着脱可能とすると共に、前記撮像ユニットに備えた撮像素子情報通知手段からの情報を入力する入力手段を有し、前記倍率変更手段は、前記入力手段からの情報を基に前記撮像素子の大きさに応じて前記撮影倍率を変更することにある。
【発明の効果】
【００１４】
本発明に係る眼科撮影装置によれば、撮像素子の大きさに応じて本体部内の変倍レンズを変更して撮影倍率を変更することにより、撮像素子の撮像有効範囲を最大限有効利用し、解像度の高い被検眼像を得ることが可能となる。
【００１５】
また、撮影倍率に応じて、被検眼を照明する照明光源の光量を変更すれば、最適な光量で被検眼像を撮影することができる。
【００１６】
更に、装着された撮像ユニットの種類を検出して、撮像ユニットに対応した電源を供給すれば、誤った電圧、電流を撮像ユニットに供給することなく、誤動作、破壊を防止することが可能となる。
【発明を実施するための最良の形態】
【００１７】
本発明を図１〜図５に図示の実施例に基づいて詳細に説明する。
【実施例１】
【００１８】
図１は本実施例における眼底カメラの構成図を示している。眼底カメラ本体部１００内の観察用光源１から対物レンズ９に至る光路上には、コンデンサレンズ２、撮影用光源３、リレーレンズ４、ミラー５、リング状の開口を有する絞り６、リレーレンズ７、孔あきミラー８が順次に配列されている。そして、これらは眼底照明光学系Ｏ１を構成している。
【００１９】
孔あきミラー８の後方の光路上には、合焦レンズ１０、撮影レンズ１１、可動ミラー１２、変倍レンズユニット１３が順次に配列され、眼底撮影光学系Ｏ２が構成されている。変倍レンズユニット１３には、３つの変倍レンズ１３ａ〜１３ｃが内蔵されており、眼底撮影光学系Ｏ２上に変倍レンズ１３ａ〜１３ｃの何れかが択一的に配置されるようになっている。なお図１においては、変倍レンズ１３ａが光路上に挿入され、他の２つの変倍レンズ１３ｂ、１３ｃは光路外に退避している。
【００２０】
可動ミラー１２の反射方向の光路上にはミラー１４が配置され、このミラー１４の反射方向には、フィールドレンズ１５ａ、接眼レンズ１５ｂから成るファインダ１５が取り付けられ、ファインダ光学系Ｏ３が構成されている。
【００２１】
また、眼底カメラ本体部１００内には演算部２１が設けられており、演算部２１の出力は撮影光量変更手段２２を介して撮影用光源３に接続され、倍率変更手段２３を介して変倍レンズユニット１３に接続されている。更に、眼底カメラ本体部１００の後面には、撮像ユニット２００ａの着脱を検知する着脱検知手段２４が取り付けられており、着脱検知手段２４の出力は演算部２１に接続されている。また、眼底カメラ本体部１００内には、後述する撮像ユニットの情報を受信する入力手段２５の出力が演算部２１に接続されている。
【００２２】
眼底カメラ本体部１００の後面には、撮像ユニット２００ａが着脱自在に取り付けられている。この撮像ユニット２００ａ内には、図６に示す撮像素子Ａに相当する撮像素子３０ａと撮像素子情報通信装置３１ａが内蔵され、撮影光学系Ｏ２の光路上に撮像素子３０ａが配置されている。また、撮像素子情報通知装置３１ａの出力は、眼底カメラ本体部１００内の入力手段２５に接続されている。
【００２３】
また、撮像ユニット２００ａの代りに、図６に示す撮像素子Ｂ、Ｃに相当する撮像素子３０ｂ、３０ｃをそれぞれ内蔵した撮像ユニット２００ｂ、２００ｃを装着することもできるようになっている。これらの撮像ユニット２００ｂ、２００ｃ内には、撮像ユニット２００ａと同様に、それぞれ撮像素子情報通知手段３１ｂ、３１ｃが設けられ、これらの出力は入力手段２５に接続される。
【００２４】
眼底観察時には、観察用光源１を出射した光束は、コンデンサレンズ２、撮影用光源３、リレーレンズ４を通り、ミラー５において反射される。このミラー５で反射された反射光は、絞り６、リレーレンズ７を通り、孔あきミラー８の周辺部で反射し、対物レンズ９、被検眼Ｅの瞳孔Ｅｐを通り眼底Ｅｒを照明する。得られた眼底像は、被検眼Ｅの瞳孔Ｅｐ、対物レンズ９、孔あきミラー８の孔部を通り、合焦レンズ１０、撮影レンズ１１を通過し、可動ミラー１２及びミラー１４で反射される。ミラー１４で反射された反射光は、ファインダ１５のフィールドレンズ１５ａを通過し、接眼レンズ１５ｂを介して操作者に観察される。
【００２５】
眼底撮影時には、操作者はファインダ１５の眼底画像を観察しながらアライメントを行い、アライメントが合ったところで図示しない撮影スイッチを押すと、撮影光学系Ｏ２から可動ミラー１２が退避し、撮影用光源３が発光する。撮影用光源３を出射した照明光は、観察用光源１とは同様の光路を通り被検眼Ｅの眼底Ｅｒを照射する。そして、眼底像は被検眼Ｅの瞳孔Ｅｐ、対物レンズ９、孔あきミラー８の孔部を通り、合焦レンズ１０、撮影レンズ１１を通過し、変倍レンズ１３ａを経て眼底像を撮像ユニット２００ａ内の撮像素子３０ａに結像する。撮像素子３０ａにおいては光電変換が行われ、撮像ユニット２００ａ内の図示しない処理回路によってデジタル眼底画像データが生成される。
【００２６】
図２（ａ）は眼底カメラ本体部１００に撮像ユニット２００ａが装着された状態において、撮像素子３０ａに結像された眼底像を示している。
【００２７】
本実施例においては、３種類の撮像ユニット２００ａ〜２００ｃを交換して使用しており、撮像ユニット２００ａ〜２００ｃに内蔵された撮像素子３０ａ〜３０ｃの大きさＡｘ、Ｂｘ、Ｃｘ、Ａｙ、Ｂｙ、Ｃｙには次の関係がある。
Ｃｘ＞Ａｘ＞Ｂｘ
Ｃｙ＞Ａｙ＞Ｂｙ
【００２８】
図３は操作者が撮像ユニットを交換する場合の演算部２１による動作フローチャート図である。ステップＳ１で、演算部２１は着脱検知手段２４からの撮像ユニット２００の着脱情報を監視し、撮像ユニット２００の装着を検知するとステップＳ２に進む。ステップＳ２においては、撮像素子情報検知手段３１から入力手段２５に入力された撮像素子３０の大きさ情報を読み込み、ステップＳ３に進む。
【００２９】
ステップＳ３で、装着された撮像ユニットが撮像ユニット２００ａであり、撮像素子３０ａが内蔵していると判断した場合には、ステップＳ４に進む。ステップＳ４においては、倍率変更手段２３が変倍レンズ１３ａを撮影光学系Ｏ２に挿入するように指示する。変倍レンズ１３ａが光路に挿入されることにより、眼底像は図２（ａ）に示すように撮像素子３０ａを有効に利用するように結像する。
【００３０】
ステップＳ４の処理が終了すると、ステップＳ９に進み、撮像素子３０ａの感度、大きさ、倍率変更手段２３によって選択された変倍レンズ１３ａに応じた撮影光量に変更するように、演算部２１は撮影光量変更手段２２に指示する。
【００３１】
ステップＳ３で、装着された撮像ユニットが撮像素子３０ａを内蔵した撮像ユニット２００ａでないと判断した場合にはステップＳ５に進む。ステップＳ５において、装着された撮像ユニットが撮像素子３０ｂを内蔵した撮像ユニット２００ｂであると判断した場合にはステップＳ６に進む。
【００３２】
ステップＳ６においては、倍率変更手段２３が変倍レンズ１３ｂを撮影光学系Ｏ２に挿入するように指示する。変倍レンズ１３ｂが光路に挿入されることにより、眼底像は図２（ｂ）に示すように撮像素子３０ｂに結像する。このとき、撮像素子３０ａに比べて撮像素子３０ｂの方が小さいため、変倍レンズ１３ａに比べて結像倍率が小さくなるような変倍レンズ１３ｂを撮影光学系Ｏ２に挿入する。
【００３３】
ステップＳ６の処理が終了するとステップＳ１０に進み、撮像素子３０ｂの感度、大きさ、倍率変更手段２３によって選択された変倍レンズ１３ｂに応じた撮影光量に変更するように、演算部２１は撮影光量変更手段２２に指示する。
【００３４】
ステップＳ５で、装着された撮像ユニットが撮像素子３０ｂを内蔵した撮像ユニット２００ｂでないと判断した場合には、ステップＳ７に進む。ステップＳ７では、装着された撮像ユニット２００が撮像素子３０ｃを内蔵した撮像ユニット２００ｃであると判断した場合にはステップＳ８に進む。ステップＳ８では、倍率変更手段２３が変倍レンズ１３ｃを撮影光学系Ｏ２に挿入するよう指示する。
【００３５】
図２（ｃ）に示す撮像素子３０ｃの大きさはＣｘ・Ｃｙであり、この撮像素子３０ｃに眼底像が結像した様子を示している。このとき、撮像素子３０ａに比べて撮像素子３０ｃの方が大きいため、変倍レンズ１３ａに比べて結像倍率が大きくなるような変倍レンズ１３ｃを撮影光学系Ｏ２に挿入する。
【００３６】
ステップＳ８の処理が終了するとステップＳ１１に進み、撮像素子３０ｃの感度、大きさ、倍率変更手段２３によって選択された変倍レンズ１３ｃに応じた撮影光量に変更するように、演算部２１は撮影光量変更手段２２に指示する。
【００３７】
ステップＳ７において、装着された撮像ユニットが撮像素子３０ｃを内蔵した撮像ユニット２００ｃでないと判断した場合には、撮像ユニットが眼底カメラ本体部１００から外された場合なのでステップＳ１に戻る。
【実施例２】
【００３８】
図４は実施例２における眼底カメラの構成図を示し、実施例１に比較して眼底カメラ本体部１００内に電源供給手段２６が追加され、演算部２１に接続されている。また、撮像ユニット２００ａ〜２００ｃ内にはそれぞれ電源３２ａ〜３２ｃが設けられ、電源３２ａ〜３２ｃは電源供給手段２６に接続されている。更に、撮像ユニット２００ａ〜２００ｃ内には、それぞれ電源情報通知手段３３ａ〜３３ｃが設けられ、眼底カメラ本体部１００内の入力手段２５に接続されている。
【００３９】
図５は操作者が撮像ユニットを交換する場合の演算部２１の動作フローチャート図である。このフローチャート図は図３のフローチャート図に対して、ステップＳ２、Ｓ３、Ｓ５、Ｓ７がそれぞれステップＳ２’、Ｓ３’、Ｓ５’、Ｓ７’に変更され、更にステップＳ１２〜Ｓ１４が追加されている。
【００４０】
演算部２１はステップＳ２’において、撮像素子情報検知手段３１、電源情報通知手段３３から入力手段２５に入力された情報から、撮像ユニットの種類を判別する。
【００４１】
ステップＳ３’において、装着された撮像ユニットが撮像ユニット２００ａであると判断された場合にはステップＳ４、Ｓ９、Ｓ１２に順次に進む。ステップＳ１２においては、電源供給手段２６が撮像ユニット２００ａ内の電源３２ａに撮像ユニット２００ａ用の電圧、電流を供給する。
【００４２】
ステップＳ５’において、装着された撮像ユニットが撮像ユニット２００ｂであると判断された場合には、ステップＳ６、Ｓ１０、Ｓ１３に進む。ステップＳ１３においては、電源供給手段２６が撮像ユニット２００ｂに撮像ユニット２００ｂ用の電圧、電流を供給する。
【００４３】
ステップＳ７’において、装着された撮像ユニットが撮像ユニット２００ｃであると判断された場合には、ステップＳ８、Ｓ１１、Ｓ１４に進む。ステップＳ１４では、電源供給手段２６が撮像ユニット２００ｃに撮像ユニット２００ｃ用の電圧、電流を供給する。
【００４４】
上述の実施例では、３種類の撮像ユニット２００ａ〜２００ｃを選択して、眼底カメラ本体部１００に使用する場合について説明したが、２種類の撮像ユニット又は４種類以上の撮像ユニットの場合にも適用することもできる。
【図面の簡単な説明】
【００４５】
【図１】実施例１の構成図である。
【図２】撮像素子に結像する眼底像の説明図である。
【図３】実施例１の動作フローチャート図である。
【図４】実施例２の構成図である。
【図５】実施例２の動作フローチャート図である。
【図６】撮像素子の大きさの説明図である。
【図７】異なる大きさの撮像素子に眼底像を結像する場合の説明図である。
【図８】単一の大きさの撮像素子に変倍した眼底像を結像する場合の説明図である。
【符号の説明】
【００４６】
１  観察用光源
３  撮影用光源
７  リレーレンズ
８  孔あきミラー
９  対物レンズ
１０  合焦レンズ
１２  可動ミラー
１３ａ、１３ｂ、１３ｃ  変倍レンズ
１５  ファインダ
２１  演算部
２２  撮影光量変更手段
２３  倍率変更手段
２４  着脱検知手段
２５  入力手段
２６  電源供給手段
３０ａ〜３０ｃ  撮像素子
３１ａ〜３１ｃ  撮像素子情報通知手段
３２ａ〜３２ｃ  電源
３３ａ〜３３ｃ  電源情報通知手段
１００  眼底カメラ本体部
２００ａ〜２００ｃ  撮像ユニット
【図１】
0004764233.tif 000002
【図２】
0004764233.tif 000003
【図３】
0004764233.tif 000004
【図４】
0004764233.tif 000005
【図５】
0004764233.tif 000006
【図６】
0004764233.tif 000007
【図７】
0004764233.tif 000008
【図８】
0004764233.tif 000009